(57)【要約】【課題】複数の放送エリアが重なっている地域においてもユーザの移動状況に応じて好適なチャンネルリストを自動的に作成できる通信端末、通信システム及び放送チャンネル設定方法を提供すること。【解決手段】基地局３から受信した通信エリア情報の登録頻度を通信エリアごとに計数し、計数した登録頻度のうち最大登録頻度の通信エリアを特定し、特定した通信エリアに対応している放送エリアを特定し、番組情報を識別するためのサービスＩＤと操作ボタンを示すリモコンＩＤとを含む放送情報のうち、サービスＩＤは異なっているがリモコンＩＤの同じ複数の放送情報が取得されると、この取得された複数の放送情報の中に放送エリア内で受信される放送情報と同一の放送情報が含まれている場合にはこの放送情報に基づいてチャンネルリストを作成する。【選択図】図２
2008067319.tif 000002
【特許請求の範囲】
【請求項１】
基地局を介して通信データを送受信できると共に複数の放送波を受信可能な通信端末であって、
前記基地局から受信した該基地局の通信エリア情報を登録する登録手段と、
前記登録手段により登録された通信エリア情報の登録頻度を通信エリア情報ごとに計数する計数手段と、
前記計数手段により計数された登録頻度に基づいて当該通信端末が放送波を受信する放送エリアを特定する放送エリア特定手段と、
放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、放送波から取得する放送情報取得手段と、
前記放送情報取得手段により取得された放送情報に基づいてチャンネルリストを作成するチャンネルリスト作成手段と
を備え、
前記チャンネルリスト作成手段は、同一のボタン情報を有しているが番組識別情報の異なる複数の放送情報が取得されると、該複数の放送情報の中に、前記放送エリア特定手段により特定された放送エリア内で受信される放送情報と同一の放送情報が含まれている場合には、当該放送情報に基づいてチャンネルリストを作成する、ことを特徴とする通信端末。
【請求項２】
前記計数手段は、各通信エリア情報に対し登録時からの経過時間に応じて大きくなる重み付けをして登録頻度を計数する、ことを特徴とする請求項１に記載の通信端末。
【請求項３】
前記チャンネルリスト作成手段は、前記放送情報取得手段により取得された新たな放送情報が取得された場合、既に作成したチャンネルリストをこの新たな放送情報に基づいて更新する、ことを特徴とする請求項１又は２に記載の通信端末。
【請求項４】
着脱可能な記録媒体と、
放送エリアを示す放送エリア情報を前記記録媒体に記録する記録手段とを更に備え、
前記チャンネルリスト作成手段は、前記記録媒体に記録された放送エリア情報を用いてチャンネルリストを作成する、ことを特徴とする請求項１〜３のうち何れか一項に記載の通信端末。
【請求項５】
前記計数手段は、登録頻度を計数する場合、通信エリア情報が前記登録手段により登録される登録タイミングの種類に応じて予め定められた数を、登録頻度に加算する、ことを特徴とする請求項１〜４のうち何れか一項に記載の通信端末。
【請求項６】
基地局を介して通信データを送受信できると共に複数の放送波を受信可能な通信端末と、
放送エリア情報を前記基地局を介して通信端末に送信するネットワークサーバと
を備え、
前記ネットワークサーバは、
前記基地局から該基地局の通信エリアを示す通信エリア情報を受信するサーバ受信手段と、
前記サーバ受信手段により受信された通信エリア情報を登録するサーバ登録手段と、
前記サーバ登録手段により登録された通信エリア情報の登録頻度を通信エリア情報ごとに計数するサーバ計数手段と、
前記サーバ計数手段により計数された登録頻度に基づいて前記通信端末が放送波を受信する放送エリアを特定するサーバ放送エリア特定手段と、
前記放送エリア特定手段により特定された放送エリアを示す放送エリア情報を前記基地局を介して前記通信端末に送信するサーバ送信手段と
を有し、
前記通信端末は、
前記ネットワークサーバから前記放送エリア情報を前記基地局を介して受信する受信手段と、
放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、前記放送波から取得する放送情報取得手段と、
前記放送情報取得手段により取得された放送情報に基づいてチャンネルリストを作成するチャンネルリスト作成手段と
を有し、
前記チャンネルリスト作成手段は、同一のボタン情報を有しているが番組識別情報の異なる複数の放送情報が取得されると、該複数の放送情報の中に、前記受信手段により受信された放送エリア情報が示す放送エリア内で受信される放送情報と同一の放送情報が含まれている場合には、当該放送情報に基づいてチャンネルリストを作成する、ことを特徴とする通信システム。
【請求項７】
基地局を介して通信データを送受信できると共に複数の放送波を受信可能な通信端末と、
前記通信端末の移動エリアを示す移動エリア情報を前記基地局を介して通信端末に送信するネットワークサーバと
を備え、
前記ネットワークサーバは、
前記基地局から該基地局の通信エリアを示す通信エリア情報を受信するサーバ受信手段と、
前記サーバ受信手段により受信された通信エリア情報を登録するサーバ登録手段と、
前記サーバ登録手段により登録された通信エリア情報の登録頻度を通信エリア情報ごとに計数するサーバ計数手段と、
前記サーバ計数手段により計数された登録頻度に基づいて前記通信端末の移動エリアを特定するサーバ移動エリア特定手段と、
前記サーバ移動エリア特定手段により特定された前記通信端末の移動エリアを示す移動エリア情報を前記基地局を介して前記通信端末に送信するサーバ送信手段と
を有し、
前記通信端末は、
前記ネットワークサーバから前記移動エリア情報を前記基地局を介して受信する受信手段と、
前記受信手段により受信された前記移動エリア情報に対応する放送エリアを特定する放送エリア特定手段と、
放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、放送波から取得する放送情報取得手段と、
前記放送情報取得手段により取得された放送情報に基づいてチャンネルリストを作成するチャンネルリスト作成手段と
を有し、
前記チャンネルリスト作成手段は、同一のボタン情報を有しているが番組識別情報の異なる複数の放送情報が取得されると、該複数の放送情報の中に、前記放送エリア特定手段により特定された放送エリア内で受信される放送情報と同一の放送情報が含まれている場合には、当該放送情報に基づいてチャンネルリストを作成する、ことを特徴とする通信システム。
【請求項８】
前記サーバ計数手段は、各通信エリア情報に対し登録時からの経過時間に応じて大きくなる重み付けをして登録頻度を計数する、ことを特徴とする請求項６又は７に記載の通信システム。
【請求項９】
基地局を介して通信データを送受信できると共に複数の放送波を受信可能な通信端末の放送チャンネル設定方法であって、
前記基地局から受信した該基地局の通信エリア情報を登録する登録ステップと、
前記登録ステップにおいて登録された通信エリア情報の登録頻度を通信エリア情報ごとに計数する計数ステップと、
前記計数ステップにおいて計数された登録頻度に基づいて前記通信端末が放送波を受信する放送エリアを特定する放送エリア特定ステップと、
放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、前記放送波から取得する放送情報取得ステップと、
前記放送情報取得ステップにおいて取得された放送情報に基づいてチャンネルリストを作成するチャンネルリスト作成ステップと
を備え、
前記チャンネルリスト作成ステップでは、同一のボタン情報を有しているが番組識別情報の異なる複数の放送情報が取得されると、該複数の放送情報の中に、前記放送エリア特定ステップにおいて特定された放送エリア内で受信される放送情報と同一の放送情報が含まれている場合には、当該放送情報に基づいてチャンネルリストを作成する、ことを特徴とする放送チャンネル設定方法。
【発明の詳細な説明】
【技術分野】
【０００１】
本発明は、通信端末、通信システム及び放送チャンネル設定方法に関する。
【背景技術】
【０００２】
近時、地上波デジタル放送を受信するテレビ受像装置が搭載された携帯電話等の通信端末が、例えば特許文献１に開示されている。この通信端末は、受信した放送情報に基づいて、チャンネル設定を自動で行う機能を有している。この種の通信端末が用いる放送情報には、例えば、放送波の周波数を識別するための物理チャンネル情報、放送波に多重化された番組情報を識別するためのサービスＩＤ情報、及び、サービスＩＤに対応した番組情報を指定するための操作ボタン（通信端末やテレビのリモコン装置等の操作ボタンの番号）を示すリモコンＩＤ情報等が含まれる。ここでサービスとは、放送事業者が編成する放送スケジュールに含まれている放送番組を意味する。
【特許文献１】特開２００４−２０１１１７号公報
【発明の開示】
【発明が解決しようとする課題】
【０００３】
このような通信端末は、複数の放送エリア間を移動できるので、ユーザは、一の放送エリアから他の放送エリアに移動する度に移動先の放送エリアのチャンネルリストを作成（設定登録）しなければならない。ここでチャンネルリストとは、物理チャンネル毎に、サービスＩＤとチャンネル番号とが対応付けられたデータである。チャンネル番号とは通信端末の操作ボタンに割り付けられた番号であり、リモコンＩＤに基づいて決定される。しかし、複数の放送エリアが重なっている地域では、サービスＩＤは異なっているがリモコンＩＤが同じ複数の放送情報を利用できる場合がある。このため、ユーザは、サービスＩＤは異なっているが同一リモコンＩＤの複数の放送情報のうちから一の放送情報を手動で選択しなければならず、利便性に欠いていた。更に、放送局ごとの放送エリアは地域によって異なるため、放送エリアが重なる場所でチャンネルリストを作成する場合、必ずしもユーザ（通信端末）の移動エリアに合わせたチャンネルリストが作成できないという問題があった。
【０００４】
本発明の目的は、複数の放送エリアが重なっている地域においてもユーザの移動状況に応じて好適なチャンネルリストを自動的に作成できる通信端末、通信システム及び放送チャンネル設定方法を提供することである。
【課題を解決するための手段】
【０００５】
本発明に係る通信端末は、基地局を介して通信データを送受信できると共に複数の放送波を受信可能な通信端末であって、前記基地局から受信した該基地局の通信エリア情報を登録する登録手段と、前記登録手段により登録された通信エリア情報の登録頻度を通信エリア情報ごとに計数する計数手段と、前記計数手段により計数された登録頻度に基づいて当該通信端末が放送波を受信する放送エリアを特定する放送エリア特定手段と、放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、放送波から取得する放送情報取得手段と、前記放送情報取得手段により取得された放送情報に基づいてチャンネルリストを作成するチャンネルリスト作成手段とを備え、前記チャンネルリスト作成手段は、同一のボタン情報を有しているが番組識別情報の異なる複数の放送情報が取得されると、該複数の放送情報の中に、前記放送エリア特定手段により特定された放送エリア内で受信される放送情報と同一の放送情報が含まれている場合には、当該放送情報に基づいてチャンネルリストを作成する、ことを特徴とする。
【０００６】
本発明に係る放送チャンネル設定方法は、基地局を介して通信データを送受信できると共に複数の放送波を受信可能な通信端末の放送チャンネル設定方法であって、前記基地局から受信した該基地局の通信エリア情報を登録する登録ステップと、前記登録ステップにおいて登録された通信エリア情報の登録頻度を通信エリア情報ごとに計数する計数ステップと、前記計数ステップにおいて計数された登録頻度に基づいて前記通信端末が放送波を受信する放送エリアを特定する放送エリア特定ステップと、放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、前記放送波から取得する放送情報取得ステップと、前記放送情報取得ステップにおいて取得された放送情報に基づいてチャンネルリストを作成するチャンネルリスト作成ステップとを備え、前記チャンネルリスト作成ステップでは、同一のボタン情報を有しているが番組識別情報の異なる複数の放送情報が取得されると、該複数の放送情報の中に、前記放送エリア特定ステップにおいて特定された放送エリア内で受信される放送情報と同一の放送情報が含まれている場合には、当該放送情報に基づいてチャンネルリストを作成する、ことを特徴とする。
【０００７】
放送エリアが重なっている地域では、複数の放送情報が利用可能である。しかし、これら複数の放送情報の中には、番組識別情報は異なっているがボタン情報の同じ複数の放送情報が複数含まれている場合がある。本発明に係る通信端末及び放送チャンネル設定方法によれば、番組識別情報は異なっているがボタン情報が同じ複数の放送情報が通信端末により取得された場合には、予め特定された登録頻度に応じて放送エリアが特定され、この放送エリアに対応する放送情報に基づいてチャンネルリストが作成可能となる。従って、複数の放送エリアが重なっている地域においてもユーザ（通信端末）の移動状況に応じて好適なチャンネルリストが自動的に作成できる。
【０００８】
また、本発明に係る通信端末では、上記チャンネルリスト作成手段は、放送情報取得手段により取得された新たな放送情報が取得された場合、既に作成したチャンネルリストをこの新たな放送情報に基づいて更新してもよい。これにより、既に作成されたチャンネルリストに対し新規チャンネルの追加が可能となる。
【０００９】
また、本発明に係る通信端末では、着脱可能な記録媒体と、放送エリアを示す放送エリア情報を上記記録媒体に記録する記録手段とを更に備え、上記チャンネルリスト作成手段は、上記記録媒体に記録された放送エリア情報を用いてチャンネルリストを作成してもよい。これにより、ユーザが、通信端末を交換した場合（買い替え等の新規交換の場合や、複数の通信端末を使い分ける場合を含む）であっても、過去に得られた放送エリア情報が再利用できる。
【００１０】
また、本発明に係る通信端末では、上記計数手段は、登録頻度を計数する場合、通信エリア情報が上記登録手段により登録される登録タイミングの種類に応じて予め定められた数を、登録頻度に加算してもよい。これにより、通信端末の利用状況に応じた登録頻度の加算が可能となる。
【００１１】
本発明に係る通信システムは、基地局を介して通信データを送受信できると共に複数の放送波を受信可能な通信端末と、放送エリア情報を前記基地局を介して通信端末に送信するネットワークサーバとを備え、前記ネットワークサーバは、前記基地局から該基地局の通信エリアを示す通信エリア情報を受信するサーバ受信手段と、前記サーバ受信手段により受信された通信エリア情報を登録するサーバ登録手段と、前記サーバ登録手段により登録された通信エリア情報の登録頻度を通信エリア情報ごとに計数するサーバ計数手段と、前記サーバ計数手段により計数された登録頻度に基づいて前記通信端末が放送波を受信する放送エリアを特定するサーバ放送エリア特定手段と、前記放送エリア特定手段により特定された放送エリアを示す放送エリア情報を前記基地局を介して前記通信端末に送信するサーバ送信手段とを有し、前記通信端末は、前記ネットワークサーバから前記放送エリア情報を前記基地局を介して受信する受信手段と、放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、前記放送波から取得する放送情報取得手段と、前記放送情報取得手段により取得された放送情報に基づいてチャンネルリストを作成するチャンネルリスト作成手段とを有し、前記チャンネルリスト作成手段は、同一のボタン情報を有しているが番組識別情報の異なる複数の放送情報が取得されると、該複数の放送情報の中に、前記受信手段により受信された放送エリア情報が示す放送エリア内で受信される放送情報と同一の放送情報が含まれている場合には、当該放送情報に基づいてチャンネルリストを作成する、ことを特徴とする。
【００１２】
放送エリアが重なっている地域では、複数の放送情報が利用可能である。しかし、これら複数の放送情報の中には、番組識別情報は異なっているがボタン情報の同じ複数の放送情報が複数含まれている場合がある。本発明に係る通信システムによれば、番組識別情報は異なっているがボタン情報が同じ複数の放送情報が通信端末により取得された場合には、予め特定された登録頻度に応じて放送エリアが特定され、この放送エリアに対応する放送情報に基づいてチャンネルリストが作成可能となる。従って、複数の放送エリアが重なっている地域においても好適なチャンネルリストが自動的に作成できる。また、通信エリアの登録頻度の計数が、通信端末ではなくネットワークサーバにおいて行われるため、通信端末の負担が軽減される。
【００１３】
本発明に係る他の通信システムは、基地局を介して通信データを送受信できると共に複数の放送波を受信可能な通信端末と、前記通信端末の移動エリアを示す移動エリア情報を前記基地局を介して通信端末に送信するネットワークサーバと
を備え、前記ネットワークサーバは、前記基地局から該基地局の通信エリアを示す通信エリア情報を受信するサーバ受信手段と、前記サーバ受信手段により受信された通信エリア情報を登録するサーバ登録手段と、前記サーバ登録手段により登録された通信エリア情報の登録頻度を通信エリア情報ごとに計数するサーバ計数手段と、前記サーバ計数手段により計数された登録頻度に基づいて前記通信端末の移動エリアを特定するサーバ移動エリア特定手段と、前記サーバ移動エリア特定手段により特定された前記通信端末の移動エリアを示す移動エリア情報を前記基地局を介して前記通信端末に送信するサーバ送信手段とを有し、前記通信端末は、前記ネットワークサーバから前記移動エリア情報を前記基地局を介して受信する受信手段と、前記受信手段により受信された前記移動エリア情報に対応する放送エリアを特定する放送エリア特定手段と、放送波の周波数を識別するための周波数識別情報と、放送波に多重化されている番組情報を識別するための番組識別情報と、該番組識別情報により識別される番組情報を指定するための操作ボタンを示すボタン情報とを含む放送情報を、放送波から取得する放送情報取得手段と、前記放送情報取得手段により取得された放送情報に基づいてチャンネルリストを作成するチャンネルリスト作成手段とを有し、前記チャンネルリスト作成手段は、同一のボタン情報を有しているが番組識別情報の異なる複数の放送情報が取得されると、該複数の放送情報の中に、前記放送エリア特定手段により特定された放送エリア内で受信される放送情報と同一の放送情報が含まれている場合には、当該放送情報に基づいてチャンネルリストを作成する、ことを特徴とする。
【００１４】
放送エリアが重なっている地域では、複数の放送情報が利用可能である。しかし、これら複数の放送情報の中には、番組識別情報は異なっているがボタン情報の同じ複数の放送情報が複数含まれている場合がある。本発明に係る通信システムによれば、番組識別情報は異なっているがボタン情報が同じ複数の放送情報が通信端末により取得された場合には、予め特定された登録頻度に応じて放送エリアが特定され、この放送エリアに対応する放送情報に基づいてチャンネルリストが作成可能となる。従って、複数の放送エリアが重なっている地域においてもユーザ（通信端末）の移動状況に応じて好適なチャンネルリストが自動的に作成できる。
【００１５】
また、本発明に係る通信端末及び通信システムでは、上記計数手段及びサーバ計数手段は、各通信エリア情報に対し登録時からの経過時間に応じて重くなる重み付けをして登録頻度を計数するのが好ましい。このように、登録頻度が、登録時（例えば最初の登録時）からの経過時間に応じて重くなる重み付けをして計数されるため、ある通信エリアに通信端末が存在している期間（過去どの程度の間存在しているか）が、登録頻度に適正に反映されることとなる。
【発明の効果】
【００１６】
本発明によれば、複数の放送エリアが重なっている地域においてもユーザ（通信端末）の移動状況に応じて好適なチャンネルリストを自動的に作成できる。
【発明を実施するための最良の形態】
【００１７】
以下、図面を参照して、本発明に係る好適な実施形態について詳細に説明する。なお、図面の説明において、可能な場合には、同一要素には同一符号を付し、重複する説明を省略する。
【００１８】
まず、図１を参照して実施形態に係る通信システム１００の構成を説明する。通信システム１００は、移動機１、基地局３及びネットワークサーバ５を備える。移動機１は、携帯電話等の通信端末であり、テレビ放送等の放送波を受信する機能を有する。この放送波には、テレビ放送等を受信する際に用いる放送情報が含まれている。この放送情報には、放送波の周波数を識別するための物理チャンネル（周波数識別情報）と、番組内容を表す番組情報と、各物理チャンネルの番組情報を識別するためのサービスＩＤと、各サービスＩＤに対応した番組情報を指定するための操作ボタンを示しており物理チャンネル及びサービスＩＤ毎に割り当てられたリモコンＩＤ（ボタン情報であり、移動機１の操作部１９に含まれる図示しない番号キーやテレビのリモコン装置のワンタッチボタン等）と、ＮＩＴ（Network Information Table）やＳＤＴ（Service Description Table）等の番組配列情報とが含まれている。
【００１９】
サービスＩＤは、放送事業者が提供する各サービスに対し割り当てられるサービス識別（service_id）であり、地上波デジタル放送においてはユニークな（重複の無い）識別番号である。リモコンＩＤは、ＰＳＩ（Program Specific Information；番組特定情報）のＴＳ情報記述子に含まれているリモコンキー識別（remote_control_key_id）であり、移動機１の操作部１９が有する番号キーやテレビのリモコン装置のワンタッチボタン等に対して放送事業者のサービスを割り付けるための識別番号である。
【００２０】
基地局３は、通信エリアＥ１内にある移動機１と無線通信（通話やデータ通信）が可能であり、移動機１から公衆通信網Ｅ２への接続を仲介する。ネットワークサーバ５は、公衆通信網Ｅ２に接続されており、基地局３を介して移動機１とデータ通信が可能である。
【００２１】
次に、図２を参照して移動機１の構成を説明する。移動機１は、通信用アンテナ１１ａ及び放送波受信用アンテナ１１ｂと、通信部１３ａ及び放送波受信部１３ｂとを有する。通信部１３ａは、通信用アンテナ１１ａを介して基地局３と無線通信を行うためのインターフェイスを有する。放送波受信部１３ｂは、放送波受信用アンテナ１１ｂを介して放送波を受信するためのチューナである。
【００２２】
移動機１は、電話部１５、メモリ部１７、操作部１９及び表示部２１を更に有する。電話部１５は、通信用アンテナ１１ａ及び通信部１３ａを介して外部通話機器と通信するための電話機能を有する。電話部１５は、音声を入力するためのマイクや音声を放音するためのスピーカ（何れも図示略）を有する。メモリ部１７は、書き込み及び読み出しが自在なメモリであり、図３に示す放送情報Ｎ１や、図４に示す対応テーブル情報Ｎ２等を格納する。また、メモリ部１７は移動機１を識別するための移動機ＩＤ情報や、チャンネルリスト等を格納する。このチャンネルリストとは、後述の放送波処理部２５が図６のフローチャートの処理を実行することにより作成するものであり、物理チャンネル毎に、サービスＩＤとチャンネル番号とが対応付けられたデータである。チャンネル番号とは移動機１の操作部１９の操作ボタンに割り付けられた番号であり、リモコンＩＤに基づいて決定される。また、メモリ部１７は、データの書き込み／読み出しが自在な記録媒体１７ａを着脱可能に備える。記録媒体１７ａは、ＵＩＭ（User Identity Module）等のＩＣカードである。
【００２３】
ここで、図３に示す放送情報Ｎ１の内容と、図４に示す対応テーブル情報Ｎ２の内容とを説明する。図３に示すように、放送情報Ｎ１は、物理チャンネル情報Ｎ１１、リモコンＩＤ情報Ｎ１２、サービスＩＤ情報Ｎ１３及び受信レベル情報Ｎ１４を含む。物理チャンネル情報Ｎ１１は、放送波の周波数を識別するための複数の物理チャンネル（例えば、「２０ｃｈ」や「２１ｃｈ」等）から成り、リモコンＩＤ情報Ｎ１２は、各物理チャンネル及び各サービスＩＤに対応した番組情報を指定するための操作ボタンを示しており物理チャンネル及びサービスＩＤ毎に割り当てられた複数のリモコンＩＤ（移動機１の操作部１９の操作ボタンに割り付けられたチャンネル番号を決定するための情報であり、例えば、「１」や「２」等を示すボタン情報）から成る。
【００２４】
サービスＩＤ情報Ｎ１３は、各物理チャンネルの番組情報を識別するための複数のサービスＩＤ（例えば、「０４０８」や「０８００」等の番号）から成り、受信レベル情報Ｎ１４は、受信した放送波の受信レベル（電界強度）を示す複数の値（例えば、「−４０ｄＢｍ」や「−５０ｄＢｍ」等の値）から成る。なお、受信レベル情報Ｎ１４に替えて、放送波の品質を示す受信品質を用いても良い。また、放送情報Ｎ１は、複数のチャンネル情報Ｃから成る。チャンネル情報Ｃの各々は、物理チャンネル、リモコンＩＤ、サービスＩＤ及び受信レベルの各値が対応付けられたデータである。
【００２５】
また、図４に示すように、対応テーブル情報Ｎ２は、携帯電話の通信エリアを示す通信エリア情報Ｎ２１と、放送波が受信可能な放送エリア情報Ｎ２６との対応を示すテーブル情報である。通信エリア情報Ｎ２１は、通信エリアコード情報Ｎ２２と通信エリア名称情報Ｎ２３とを含み、通信エリアコード情報Ｎ２２は、エリアＩＤ情報Ｎ２４とサブエリアＩＤ情報Ｎ２５とを含む。エリアＩＤ情報Ｎ２４は、通信エリアを識別するための複数の識別番号（例えば、「０５７」等）から成り、サブエリアＩＤ情報Ｎ２５は、エリアＩＤ情報Ｎ２４の各通信エリアに含まれるサブエリアを識別するための複数の識別番号（例えば、「００」や「０１」等）から成る。
【００２６】
通信エリア名称情報Ｎ２３は、サブエリアＩＤ情報Ｎ２５（或いは、エリアＩＤ情報Ｎ２４）の各通信エリアに割り当てられた複数の名称（例えば、「東京駅周辺」や「有楽町／日比谷」等）を示す情報であり、エリアＩＤ情報Ｎ２４とサブエリアＩＤ情報Ｎ２５とを合わせて成る５桁のＩＤデータにより特定される。放送エリア情報Ｎ２６は、放送エリアコード情報Ｎ２７と放送エリア名称情報Ｎ２８とを含む。放送エリアコード情報Ｎ２７は、放送エリアを識別するための複数の識別番号（例えば、「２３」等）から成り、放送エリア名称情報Ｎ２８は、放送エリアコード情報Ｎ２７の各放送エリアに割り当てられた複数の名称（例えば、「東京」等）から成る。放送エリアコード情報Ｎ２７は、サービスＩＤに含まれる情報（地域識別情報）である。このため、放送エリアコード情報Ｎ２７から特定のサービスＩＤが選択可能となる。
【００２７】
図２に戻って説明する。操作部１９は、例えば、チャンネル番号（リモコンＩＤ）や番組（サービスＩＤ）を指定するための番号キー等の図示しない各種操作キーを有している。この各種操作キーから入力された入力信号は、制御部２３に出力される。表示部２１は、ＬＣＤ（Liquid Crystal Display）等の表示装置（図示略）を有しており、受信した放送波の放送情報に含まれる番組情報の内容をこの表示装置に表示する。
【００２８】
また、移動機１は、制御部２３及び放送波処理部２５（チャンネルリスト作成手段、記録手段）を更に有する。制御部２３は、図示しないＣＰＵ、ＲＯＭ及びＲＡＭ等を有しており、ＲＯＭやＲＡＭに格納された各種プログラムをＣＰＵに実行させることにより、移動機１を統括的に制御する。特に、制御部２３は、放送波処理部２５を制御する。放送波処理部２５は、制御部２３が有する各種機能を、チャンネルスキャン部２５１（放送情報取得手段）、リモコンＩＤ判定部２５２、サービスＩＤ判定部２５３、受信レベル判定部２５４及び居住エリア判定部２５５（登録手段、計数手段及び放送エリア特定手段）を用いて模式的に表したものである。
【００２９】
制御部２３は、放送波処理部２５、特に放送波処理部２５が有するチャンネルスキャン部２５１、リモコンＩＤ判定部２５２、サービスＩＤ判定部２５３、受信レベル判定部２５４及び居住エリア判定部２５５を用いる等して、後述する図６のフローチャートに示す処理（チャンネルリスト作成処理）と図７（及び図８〜図１１）のシーケンスに示す処理（居住エリア判定処理）とを行う。
【００３０】
次に、図５を参照して、基地局３及びネットワークサーバ５の構成を説明する。図５（ａ）に示すように、基地局３は、通信部３ａ、メモリ部３ｂ及び制御部３ｃを有する。通信部３ａは、移動機１と無線通信を行うと共に、公衆通信網Ｅ２を介してネットワークサーバ５と通信を行うためのインターフェイスを有する。メモリ部３ｂは、書き込み及び読み出しが自在なメモリである。メモリ部３ｂは、基地局３の通信エリアＥ１を識別するための通信エリア情報を格納する。この通信エリア情報は、図４に示す対応テーブル情報Ｎ２の通信エリア情報Ｎ２１に含まれるエリアＩＤ情報Ｎ２４及びサブエリアＩＤ情報Ｎ２５の各々に対応する二種類の情報（エリアＩＤ及びサブエリアＩＤ）を含む。なお、通信エリア名称情報Ｎ２３に対応する情報（通信エリア名称）が含まれていてもよい。
【００３１】
制御部３ｃは、図示しないＣＰＵ、ＲＯＭ及びＲＡＭ等を有しており、ＲＯＭやＲＡＭに格納された各種プログラムをＣＰＵに実行させることにより、基地局３を統括的に制御する。制御部３ｃは、図７のシーケンスのステップＣ１を実行する。なお、制御部３ｃは、図８のシーケンスのステップＣ２〜ステップＣ４の各処理を実行してもよいし、図９のシーケンスのステップＣ２、ステップＣ３及びステップＣ５の各処理を実行してもよい。また、図１０のシーケンスのステップＣ２及びステップＣ４の各処理を実行してもよいし、図１１のシーケンスのステップＣ２及びステップＣ５の各処理を実行してもよい。
【００３２】
また、図３（ｂ）に示すように、ネットワークサーバ５は、通信部５ａ、メモリ部５ｂ及び制御部５ｃを有する。通信部５ａは、公衆通信網Ｅ２を介して基地局３と通信を行う（更には、基地局３を介して移動機１と通信を行う）ためのインターフェイスを有する。メモリ部５ｂは、書き込み及び読み出しが自在なメモリである。メモリ部５ｂには、移動機１に係る情報（移動機ＩＤ、電話番号、アドレスや、所有者名等の顧客情報を含む）を管理するためのデータベース（図示略）を有する。制御部５ｃは、図示しないＣＰＵ、ＲＯＭ及びＲＡＭ等を有しており、ＲＯＭやＲＡＭに格納された各種プログラムをＣＰＵに実行させることにより、ネットワークサーバ５を統括的に制御する。
【００３３】
なお、制御部５ｃは、図８のシーケンスのステップＤ１〜ステップＤ５の各処理を実行しても良いし、図９のシーケンスのステップＤ１〜ステップＤ４、ステップＤ６及びステップＤ７の各処理を実行してもよい。また、制御部５ｃは、図１０のシーケンスのステップＤ１、ステップＤ３〜ステップＤ５及びステップＤ８の各処理を実行してもよいし、図１１のシーケンスのステップＤ１、ステップＤ３、ステップＤ４及びステップＤ６〜ステップＤ８の各処理を実行してもよい。
【００３４】
次に、図６〜図７を参照して通信システム１００及び移動機１の動作を説明する。まず、図６を参照して、実施形態に係る移動機１が行うチャンネルリスト作成処理について説明する。図６のシーケンスのステップＡ１〜ステップＡ１８の各処理は放送波処理部２５によって行われる。特に、ステップＡ２〜ステップＡ９の各処理は、チャンネルスキャン部２５１によって行われ、ステップＡ１１及びステップＡ１２の各処理は、リモコンＩＤ判定部２５２によって行われる。また、ステップＡ１３及びステップＡ１４の各処理は、サービスＩＤ判定部２５３によって行われ、ステップＡ１６の処理は、受信レベル判定部２５４によって行われる。
【００３５】
まず、放送波処理部２５は、メモリ部１７に設けられた放送情報Ｎ１の格納領域を初期化する（ステップＡ１）。その後、チャンネルスキャン部２５１は、各物理チャンネルのスキャンを、ＵＨＦ帯の１３チャンネル（物理チャンネル）の放送波から順次開始する（ステップＡ２）。この場合、チャンネルスキャン部２５１は、スキャンする物理チャンネル（スキャンｃｈ）毎に、放送波受信部１３ｂにおける放送波の同期処理を行う（ステップＡ３）。チャンネルスキャン部２５１は、ステップＡ３の同期処理によって、放送波の同期が確立したか否かを判定し（ステップＡ４）、同期が確立したと判定した場合には（ステップＡ４；Ｙｅｓ）、ステップＡ５に移行し、同期が確立した放送波の受信レベルを計測する（ステップＡ５）。
【００３６】
チャンネルスキャン部２５１は、ステップＡ４の段階で、放送波の同期が確立していないと判定した場合には（ステップＡ４；Ｎｏ）、ステップＡ８に移行する。ステップＡ５の後、チャンネルスキャン部２５１は、スキャンした物理チャンネルの放送波に含まれる放送情報からＮＩＴやＳＤＴ等の番組配列情報を取得する（ステップＡ６）。
【００３７】
ステップＡ６の後、チャンネルスキャン部２５１は、スキャンした物理チャンネルの放送波に含まれる放送情報からリモコンＩＤ及びサービスＩＤを抽出し、これら抽出したリモコンＩＤ及びサービスＩＤと、ステップＡ５の段階で計測した受信レベルとを、この放送波の物理チャンネルに対応付けて放送情報Ｎ１（図３を参照）のチャンネル情報Ｃとしてメモリ部１７に格納する（ステップＡ７）。
【００３８】
ステップＡ７の後、チャンネルスキャン部２５１は、ＵＨＦ帯の６２チャンネルに至るまで、物理チャンネルのスキャン（ステップＡ３〜ステップＡ７までの処理）が行われたか否かを判定し（ステップＡ８）、スキャンｃｈが６２チャンネルに至っていない場合には（ステップＡ８；Ｎｏ）、スキャンｃｈのチャンネル番号を１だけアップし（ステップＡ９）、このアップ後のスキャンｃｈに対し、ステップＡ３〜ステップＡ７までの処理を繰り返す。ステップＡ８において、スキャンｃｈが６２チャンネルに至った場合には（ステップＡ８；Ｙｅｓ）、放送波処理部２５は、メモリ部１７に格納した放送情報Ｎ１に基づいてチャンネルリストの作成を開始する（ステップＡ１０）。
【００３９】
リモコンＩＤ判定部２５２は、メモリ部１７に格納された放送情報Ｎ１に基づいてリモコンＩＤ情報Ｎ１２を照合し（ステップＡ１１）、重複する（同一の意味であり、以下同様）リモコンＩＤがリモコンＩＤ情報Ｎ１２に含まれているか否かを判定する（ステップＡ１２）。リモコンＩＤ判定部２５２は、ステップＡ１２の段階で、重複する複数のリモコンＩＤがリモコンＩＤ情報Ｎ１２に含まれていると判定した場合には（ステップＡ１２；Ｙｅｓ）、ステップＡ１３に移行し、重複する複数のリモコンＩＤがリモコンＩＤ情報Ｎ１２に含まれていないと判定した場合には（ステップＡ１２；Ｎｏ）、ステップＡ１８に移行する。そして、放送波処理部２５は、ステップＡ１８において、ステップＡ７の段階でメモリ部１７に格納されたチャンネル情報Ｃを用いてチャンネルリストを作成する（ステップＡ１８）。
【００４０】
また、サービスＩＤ判定部２５３は、ステップＡ１３において、メモリ部１７に格納された放送情報Ｎ１に基づいてサービスＩＤ情報Ｎ１３を更に照合し（ステップＡ１３）、重複する複数のリモコンＩＤにそれぞれ対応する複数のチャンネル情報Ｃに、重複する複数のサービスＩＤが含まれているか否かを判定する（ステップＡ１４）。すなわち、ステップＡ１４では、リモコンＩＤ及びサービスＩＤの各々が共に重複している複数のチャンネル情報Ｃの有無が判定される。
【００４１】
サービスＩＤ判定部２５３は、ステップＡ１４の段階で、重複する複数のリモコンＩＤにそれぞれ対応する複数のチャンネル情報Ｃに、重複する複数のサービスＩＤが含まれている、と判定した場合、すなわち、リモコンＩＤ及びサービスＩＤの各々が共に重複している複数のチャンネル情報Ｃがあると判定した場合には（ステップＡ１４；Ｙｅｓ）、ステップＡ１６に移行する。受信レベル判定部２５４は、メモリ部１７に格納された放送情報Ｎ１に基づいてサービスＩＤ情報Ｎ１３を更に照合し、リモコンＩＤ及びサービスＩＤの各々が共に重複している複数のチャンネル情報Ｃに対して受信レベルの大小を判定し（ステップＡ１６）、放送波処理部２５は、最も受信レベルの高いチャンネル情報Ｃを、チャンネルリスト作成用に選択する（ステップＡ１７）。
【００４２】
また、サービスＩＤ判定部２５３は、ステップＡ１４の段階で、重複する複数のリモコンＩＤにそれぞれ対応する複数のチャンネル情報Ｃに、重複する複数のサービスＩＤが含まれていない、と判定した場合、すなわち、リモコンＩＤは重複しているがサービスＩＤは重複していないと判定した場合には（ステップＡ１４；Ｎｏ）、ステップＡ１５に移行する。放送波処理部２５は、居住エリア判定部２５５等により予め指定された居住エリアに属するチャンネル情報Ｃを、チャンネルリスト作成用に選択する（ステップＡ１５）。なお、選択されなかったチャンネル情報Ｃは破棄されることなく、空いているチャンネル番号に割り当てられる。すなわち、選択されたチャンネル情報ＣはリモコンＩＤに準拠して割り当てられ、選択されなかったチャンネル情報は最終的に余ったチャンネル番号に割り当てられる。これによりチャンネル情報の選択の幅が狭められる、ということがなくなる。
【００４３】
この場合、放送波処理部２５は、各居住エリアにおけるチャンネル情報Ｃを示すデータ（予めメモリ部１７に格納されているデータ）に基づいてステップＡ１５の選択を行う。また、居住エリア判定部２５５等による居住エリアの指定は、後述する図７のシーケンスの処理によって行われる。なお、以下において、居住エリアとは、移動機１を携帯したユーザが主に存在（居住）する地域を意味する。移動機１を携帯したユーザは、様々な地域を移動するが、その移動地域のうち、ユーザの滞在時間が最も長い地域を、ユーザが主に存在（居住）する地域とする。
【００４４】
そして、放送波処理部２５は、ステップＡ１５又はステップＡ１７の後にステップＡ１１に移行する。ステップＡ１５又はステップＡ１７の後、リモコンＩＤ判定部２５２は、リモコンＩＤ情報Ｎ１２の照合を再度行い（ステップＡ１１）、他の重複するリモコンＩＤが、リモコンＩＤ情報Ｎ１２に含まれているか否かを判定し（ステップＡ１２）、ステップＡ１２以降の処理を実行する。
【００４５】
次に、図７を参照して、実施形態に係る通信システム１００が行う居住エリア判定処理について説明する。図７のシーケンスのステップＢ１〜ステップＢ７の各処理は移動機１の居住エリア判定部２５５によって行われ、ステップＣ１の処理は基地局３の制御部３ｃによって行われる。
【００４６】
居住エリア判定部２５５は、移動機１が基地局３と無線通信を開始する際（例えば、移動機１の電源がオンにされた際等）に、通信開始通知を、移動機ＩＤ情報と共に基地局３に送信する（ステップＢ１）。基地局３の制御部３ｃは、通信開始通知及び移動機ＩＤ情報を移動機１から受信すると、この基地局３に係る通信エリア情報を送信元の移動機１に送信する（ステップＣ１）。この通信エリア情報は、図４に示す対応テーブル情報Ｎ２の通信エリア情報Ｎ２１に含まれるエリアＩＤ情報Ｎ２４に対応する情報（エリアＩＤ）を含む。なおサブエリアＩＤ情報Ｎ２５及び通信エリア名称情報Ｎ２３の各々に対応する二種類の情報（サブエリアＩＤ及び通信エリア名称）が含まれていてもよい。
【００４７】
居住エリア判定部２５５は、通信エリア情報を基地局３から受信すると、この通信エリア情報をメモリ部１７に記録（登録）する（ステップＢ２）。そして、居住エリア判定部２５５は、登録した通信エリア情報の登録頻度を１だけ加算する（ステップＢ３）。すなわち、居住エリア判定部２５５は、通信エリア情報の登録頻度を通信エリア情報毎に計数し、この計数した値をメモリ部１７に記録する。この登録頻度は所定の計数期間（例えば、１ヶ月間等）毎に更新される。なお、居住エリア判定部２５５は、登録頻度の計数（登録頻度を１だけ加算すること）を、放送波の受信開始時、受信中又は受信終了時の何れかのタイミングで行ってもよい。或いは、所定周期（例えば、月頭ごと等）のタイミングで登録頻度の計数を行い、移動エリアが特定できたら次のタイミングに至るまで登録頻度の計数を行わないようにしてもよい。
【００４８】
また、居住エリア判定部２５５は、登録頻度を、最初の登録時、又は最初の登録時から所定時間（例えば、１日等）経過した時点からの経過時間に応じて大きくなる重み付けをして登録頻度を計数してもよい。例えば、同一の通信エリア情報を３回登録した場合を想定すると、最初に登録した時の登録頻度が「１」、次に登録した時の登録頻度が「１＋１．２」、そして最後に（すなわち、最近に）登録した時の登録頻度が「１＋１．２＋１．３」となるように計数する。このため、ある通信エリアに移動機１が存在している期間（過去どの程度の間存在しているか）が、登録頻度に適正に反映されることとなる。なお、登録頻度の計数方法は、これに限るものではなく、登録時からの時間の経過に伴って、登録頻度に加算される数値が大きくなるような計数方法であればよい。
【００４９】
ステップＢ３の後、居住エリア判定部２５５は、通信エリア情報の登録頻度の総計が規定値に達したか否かを判定する（ステップＢ４）。この登録頻度の総計とは、登録された全通信エリア情報の登録頻度の総計とする。この場合、居住エリア判定部２５５は、ステップＢ４において、登録された全通信エリア情報の登録頻度の総計が規定値に達したか否かを判定する。なお、居住エリア判定部２５５は、ステップＢ４において、登録された通信エリア情報のうち、登録頻度が規定値に達した通信エリアがあるか否かを判定してもよい。
【００５０】
また、居住エリア判定部２５５は、消費電力の低減化のため、ステップＢ４の判定を、上記の計数期間等の所定の評価期間が経過した後に行ってもよい。この場合、居住エリア判定部２５５は、ステップＢ４において、上記評価期間が経過したか否かを判定し、評価期間が経過した場合には、登録頻度の総計が規定値に達したか否かを判定し、評価期間が経過していない場合には、居住エリア判定処理を終了する。
【００５１】
ステップＢ４において、登録頻度の総計が規定値に達した場合には（ステップＢ４；Ｙｅｓ）、居住エリア判定部２５５は、登録された通信エリア情報のうち最大登録頻度の通信エリア情報の示す通信エリアを移動エリアに特定する（ステップＢ５）。ステップＢ４において、登録頻度の総計が規定値に達していない場合には（ステップＢ４；Ｎｏ）、居住エリア判定部２５５は、居住エリア判定処理を終了する。
【００５２】
ステップＢ５の後、居住エリア判定部２５５は、対応テーブル情報Ｎ２（図４参照）に基づいて、ステップＢ５において特定した移動エリア（すなわち、通信エリア）に対応する放送エリアを特定する（ステップＢ６）。この放送エリアとは、図４に示す対応テーブル情報Ｎ２の放送エリア情報Ｎ２６に含まれる放送エリアコード情報Ｎ２７及び放送エリア名称情報Ｎ２８の各々に対応する二種類の情報（放送エリアコード及び放送エリア名称）により特定される。
【００５３】
この場合、居住エリア判定部２５５は、通信エリア情報Ｎ２１に含まれるエリアＩＤ情報Ｎ２４、サブエリアＩＤ情報Ｎ２５及び通信エリア名称情報Ｎ２３と、放送エリア情報Ｎ２６に含まれる放送エリアコード情報Ｎ２７及び放送エリア名称情報Ｎ２８とに基づいて、ステップＢ５において特定した移動エリアに係る通信エリア情報から、この通信エリア情報の示す通信エリアに対応する放送エリアを特定する。そして、ステップＢ６の後、居住エリア判定部２５５は、ステップＢ６において特定した放送エリアを居住エリアに特定し、この居住エリアをメモリ部１７に記録する（ステップＢ７）。
【００５４】
以上説明したように、実施形態に係る通信システム１００は、移動機１のユーザの居住エリアを予め自動的に指定しておく。このため、複数の放送エリアが重なっている地域であっても、この居住エリアに対応した放送情報（リモコンＩＤ及びサービスＩＤ）に基づいて好適なチャンネルリストが自動的に作成できる。よって、従来では、サービスＩＤは異なっているがリモコンＩＤが同じ場合に、ユーザは、手動により好みのサービスＩＤ（このサービスＩＤに対応する放送情報）を設定しなければならなかったが、実施形態に係る通信システム１００では、サービスＩＤは異なっているがリモコンＩＤが同じ場合であっても、手動によることなく、ユーザに好適なサービスＩＤが自動的に設定可能となる。
【００５５】
なお、リモコンＩＤが重複していない場合でも、サービスＩＤが重複しているか否かが判断され、放送波の受信レベルに基づいて何れか一つのサービスＩＤが選択できるようにしてもよい。また、通信システム１００は、上述した図７のシーケンスに示す居住エリア判定処理に限らず、例えば、図８〜図１１のうち何れのシーケンスに示す居住エリア判定処理を行ってもよい。以下に説明する図８〜図１１のシーケンスに示す居住エリア判定処理の各々は、図７のシーケンスに示す居住エリア判定処理と同様の効果を奏する。
【００５６】
＜第１の変形例＞
まず、図８のシーケンスに示す居住エリア判定処理について説明する。図８のシーケンスのステップＢ８〜ステップＢ１１の各処理は移動機１の居住エリア判定部２５５によって行われ、ステップＣ２〜ステップＣ４の各処理は基地局３の制御部３ｃによって行われる。そして、ステップＤ１〜ステップＤ５の各処理はネットワークサーバ５の制御部５ｃによって行われる。なお、本第１の変形例において、ネットワークサーバ５の通信部５ａはサーバ受信手段及びサーバ送信手段の機能を有し、制御部５ｃはサーバ登録手段、サーバ計数手段及びサーバ移動エリア特定手段の機能を有する。また、移動機１の通信部１３ａは受信手段の機能を有し、居住エリア判定部２５５は放送エリア特定手段の機能を有し、チャンネルスキャン部２５１は放送情報取得手段の機能を有し、放送波処理部２５はチャンネルリスト作成手段の機能を有する。
【００５７】
居住エリア判定部２５５は、移動機１が基地局３と無線通信を開始する際（例えば、移動機１の電源がオンにされた際等）に、通信開始通知を、移動機ＩＤ情報と共に基地局３に送信する（ステップＢ８）。ステップＢ８の後、基地局３の制御部３ｃは、通信開始通知及び移動機ＩＤ情報を移動機１から受信すると、この受信した通信開始通知及び移動機ＩＤ情報と共に、この基地局３に係る通信エリア情報をネットワークサーバ５に送信する（ステップＣ２）。ステップＣ２の後、ネットワークサーバ５の制御部５ｃは、通信開始通知、移動機ＩＤ情報及び通信エリア情報を基地局３から受信すると、この通信エリア情報をメモリ部５ｂに記録（登録）する（ステップＤ１）。以下、ステップＢ８、ステップＣ２及びステップＤ１を含む一連の処理をステップＫ１と総称する。
【００５８】
また、居住エリア判定部２５５は、ステップＢ８の後、放送波の受信を開始した場合（或いは、放送波の受信中の場合若しくは受信終了の場合）には、この旨（放送受信通知）を移動機ＩＤ情報と共に基地局３を介してネットワークサーバ５に送信する（ステップＢ９）。ステップＢ９の後、基地局３の制御部３ｃは、放送受信通知及び移動機ＩＤ情報を移動機１から受信すると、この受信した放送受信通知及び移動機ＩＤ情報をネットワークサーバ５に送信する（ステップＣ３）。
【００５９】
ステップＣ３の後、ネットワークサーバ５の制御部５ｃは、放送受信通知及び移動機ＩＤ情報を基地局３から受信すると、この基地局３に係る通信エリア（ステップＤ１において既に登録された通信エリア）の登録頻度を１だけ加算する（ステップＤ２）。すなわち、制御部５ｃは、通信エリア情報の登録頻度を通信エリア情報毎に計数し、この計数した値をメモリ部５ｂに記録する。この登録頻度は所定の計数期間（例えば、１ヶ月間等）毎に更新される。なお、制御部５ｃは、登録頻度の計数（登録頻度を１だけ加算すること）を、放送波の受信開始時、受信中又は受信終了時の何れかのタイミングで行ってもよい。
【００６０】
そして、制御部５ｃは、通信エリア情報の登録頻度の総計が規定値に達したか否かを判定する（ステップＤ３）。この登録頻度の総計とは、登録された全通信エリア情報の登録頻度の総計とする。この場合、制御部５ｃは、ステップＤ３において、登録された全通信エリア情報の登録頻度の総計が規定値に達したか否かを判定する。なお、制御部５ｃは、ステップＤ３において、登録された通信エリア情報のうち、登録頻度が規定値に達した通信エリア情報があるか否かを判定してもよい。
【００６１】
また、制御部５ｃは、消費電力の低減化のため、ステップＤ３の判定を、上記の計数期間等の所定の評価期間が経過した後に行うようにしてもよい。この場合、制御部５ｃは、ステップＤ３において、上記評価期間が経過したか否かを判定し、評価期間が経過した場合には、登録頻度の総計が規定値に達したか否かを判定し、評価期間が経過していない場合には、居住エリア判定処理を終了する。
【００６２】
ステップＤ３において、登録頻度の総計が規定値に達した場合には（ステップＤ３；Ｙｅｓ）、制御部５ｃは、登録された通信エリアのうち最大登録頻度の通信エリアを移動エリアに特定する（ステップＤ４）。ステップＤ３において、登録頻度の総計が規定値に達していない場合には（ステップＤ３；Ｎｏ）、制御部５ｃは、居住エリア判定処理を終了する。以下、ステップＫ１、ステップＢ９、ステップＣ３及びステップＤ２〜ステップＤ４を含む一連の処理をステップＫ２と総称する。
【００６３】
ステップＤ４の後、制御部５ｃは、ステップＤ４において特定した移動エリアに係る移動エリア情報を、基地局３を介して移動機１に送信する（ステップＤ５）。ステップＤ５の後、基地局３の制御部３ｃは、移動エリア情報をネットワークサーバ５から受信すると、この受信した移動エリア情報を移動機１に送信する（ステップＣ４）。ステップＣ４の後、居住エリア判定部２５５は、移動エリア情報をネットワークサーバ５から基地局３を介して受信すると、対応テーブル情報Ｎ２（図４参照）に基づいて、受信した移動エリア情報に係る移動エリア（すなわち、通信エリア）に対応する放送エリアを特定する（ステップＢ１０）。
【００６４】
この場合、居住エリア判定部２５５は、通信エリア情報Ｎ２１に含まれるエリアＩＤ情報Ｎ２４、サブエリアＩＤ情報Ｎ２５及び通信エリア名称情報Ｎ２３と、放送エリア情報Ｎ２６に含まれる放送エリアコード情報Ｎ２７及び放送エリア名称情報Ｎ２８とに基づいて、放送エリアを特定する。
【００６５】
そして、ステップＢ１０の後、居住エリア判定部２５５は、ステップＢ６において特定した放送エリアを居住エリアに指定し、この居住エリアをメモリ部１７に記録する（ステップＢ１１）。以下、ステップＤ３〜ステップＤ５、ステップＣ４、ステップＢ１０及びステップＢ１１を含む一連の処理をステップＫ３と総称する。
【００６６】
＜第２の変形例＞
次に、図９のシーケンスに示す居住エリア判定処理について説明する。図９のシーケンスのステップＢ８、ステップＢ９及びステップＢ１２の各処理は移動機１の居住エリア判定部２５５によって行われ、ステップＣ２、ステップＣ３及びステップＣ５の各処理は基地局３の制御部３ｃによって行われる。そして、ステップＤ１〜ステップＤ４、ステップＤ６及びステップＤ７の各処理はネットワークサーバ５の制御部５ｃによって行われる。なお、本第２の変形例において、ネットワークサーバ５の通信部５ａはサーバ受信手段及びサーバ送信手段の機能を有し、制御部５ｃはサーバ登録手段、サーバ計数手段及びサーバ放送エリア特定手段の機能を有する。また、移動機１の通信部１３ａは受信手段の機能を有し、チャンネルスキャン部２５１は放送情報取得手段の機能を有し、放送波処理部２５はチャンネルリスト作成手段の機能を有する。
【００６７】
まず、居住エリア判定部２５５、制御部３ｃ及び制御部５ｃは、図８に示すステップＫ２の処理を実行する。そして、ネットワークサーバ５の制御部５ｃは、ステップＫ２のうち、ステップＤ４の処理の後に、対応テーブル情報Ｎ２（図４参照）に基づいて、ステップＤ４において特定した移動エリア情報に係る移動エリア（すなわち、通信エリア）に対応する放送エリアを特定する（ステップＤ６）。この場合、ネットワークサーバ５のメモリ部５ｂには、対応テーブル情報Ｎ２が格納されている。
【００６８】
この場合、制御部５ｃは、メモリ部５ｂに格納された通信エリア情報Ｎ２１に含まれるエリアＩＤ情報Ｎ２４、サブエリアＩＤ情報Ｎ２５及び通信エリア名称情報Ｎ２３と、放送エリア情報Ｎ２６に含まれる放送エリアコード情報Ｎ２７及び放送エリア名称情報Ｎ２８とに基づいて、ステップＤ６において特定した移動エリアに係る通信エリア情報Ｎ２１から、この移動エリアに対応する放送エリアを特定する。
【００６９】
そして、ステップＤ６の後、制御部５ｃは、ステップＤ６において特定した放送エリアに係る放送エリア情報を、基地局３を介して移動機１に送信する（ステップＤ７）。ステップＤ７の後、基地局３の制御部３ｃは、放送エリア情報をネットワークサーバ５から受信すると、この受信した放送エリア情報を移動機１に送信する（ステップＣ５）。ステップＣ５の後、移動機１の居住エリア判定部２５５は、放送エリア情報をネットワークサーバ５から基地局３を介して受信すると、この受信した放送エリア情報に係る放送エリアを居住エリアに指定し、この居住エリアをメモリ部１７に記録する（ステップＢ１２）。以下、ステップＤ３、ステップＤ４、ステップＤ６、ステップＤ７、ステップＣ５及びステップＢ１２を含む一連の処理をステップＫ４と総称する。
【００７０】
＜第３の変形例＞
次に、図１０のシーケンスに示す居住エリア判定処理について説明する。図１０のシーケンスのステップＢ８、ステップＢ１０及びステップＢ１１の各処理は移動機１の居住エリア判定部２５５によって行われ、ステップＣ２及びステップＣ４の各処理は基地局３の制御部３ｃによって行われる。そして、ステップＤ１、ステップＤ３〜ステップＤ５及びステップＤ８の各処理はネットワークサーバ５の制御部５ｃによって行われる。まず、居住エリア判定部２５５、制御部３ｃ及び制御部５ｃは、図８に示すステップＫ１の処理を行う。そして、ネットワークサーバ５の制御部５ｃは、ステップＫ１のうちステップＤ１の後に、ステップＤ１において登録した通信エリア情報の登録頻度を１だけ加算する（ステップＤ８）。制御部５ｃがステップＤ８の処理を行った後、制御部５ｃ、制御部３ｃ及び居住エリア判定部２５５は、図８に示すステップＫ３の処理を行う。なお、本第３の変形例において、ネットワークサーバ５の通信部５ａはサーバ受信手段及びサーバ送信手段の機能を有し、制御部５ｃはサーバ登録手段、サーバ計数手段及びサーバ移動エリア特定手段の機能を有する。また、移動機１の通信部１３ａは受信手段の機能を有し、居住エリア判定部２５５は放送エリア特定手段の機能を有し、チャンネルスキャン部２５１は放送情報取得手段の機能を有し、放送波処理部２５はチャンネルリスト作成手段の機能を有する。
【００７１】
＜第４の変形例＞
次に、図１１のシーケンスに示す居住エリア判定処理について説明する。図１１のシーケンスのステップＢ８及びステップＢ１２の各処理は移動機１の居住エリア判定部２５５によって行われ、ステップＣ２及びステップＣ５の各処理は基地局３の制御部３ｃによって行われる。そして、ステップＤ１、ステップＤ３、ステップＤ４、ステップＤ６〜ステップＤ８の各処理はネットワークサーバ５の制御部５ｃによって行われる。まず、居住エリア判定部２５５、制御部３ｃ及び制御部５ｃは、図１０に示すステップＫ５の処理を行う。そして、制御部５ｃが、ステップＫ５のうちステップＤ８の処理を行った後、制御部５ｃ、制御部３ｃ及び居住エリア判定部２５５は、図９に示すステップＫ４の処理を行う。なお、本第４の変形例において、ネットワークサーバ５の通信部５ａはサーバ受信手段及びサーバ送信手段の機能を有し、制御部５ｃはサーバ登録手段、サーバ計数手段及びサーバ放送エリア特定手段の機能を有する。また、移動機１の通信部１３ａは受信手段の機能を有し、チャンネルスキャン部２５１は放送情報取得手段の機能を有し、放送波処理部２５はチャンネルリスト作成手段の機能を有する。
【００７２】
以上説明した第１及び第３の変形例では、通信エリア情報の登録頻度の計数が、移動機１ではなくネットワークサーバ５において行われるため、移動機１の負担が軽減される。また第２及び第４の変形例では、登録頻度の計数に加え、更に、放送エリアの特定が、移動機１ではなくネットワークサーバ５において行われるため、移動機１の負担が更に軽減される。
【００７３】
なお、上述した移動機１（第１〜第４の変形例の移動機１を含む）は、チャンネルリストに対しチャンネルの追加ができてもよい。図１２に、チャンネル追加処理を説明するためのフローチャートを示す。チャンネルスキャン部２５１は、新規チャンネルの追加指示が操作部１９を介してユーザにより入力されると（ステップＡ２０）、追加する新規チャンネルの放送波に含まれる放送情報からリモコンＩＤ及びサービスＩＤを抽出し、これら抽出したリモコンＩＤ及びサービスＩＤを、この放送波の物理チャンネルに対応付けて放送情報Ｎ１のチャンネル情報Ｃ（新規チャンネル情報という）としてメモリ部１７に格納する（ステップＡ２１）。次に、放送波処理部２５は、メモリ部１７に格納されているチャンネルリストを参照し、新規チャンネル情報と重複するチャンネル情報がチャンネルリストに含まれているか否かを判定する（ステップＡ２２）。具体的には、放送波処理部２５は、ステップＡ２１においてメモリ部１７に格納した追加する新規のチャンネル情報の物理チャンネル、サービスＩＤ及びリモコンＩＤと同一の物理チャンネル、サービスＩＤ及びリモコンＩＤを含むチャンネル情報がチャンネルリストに含まれているか否かを判定する（ステップＡ２２）。
【００７４】
ステップＡ２２の段階で、放送波処理部２５は、新規チャンネル情報と重複するチャンネル情報がチャンネルリストに含まれている場合には（ステップＡ２２；Ｙｅｓ）、チャンネルの追加処理を終了し、重複するチャンネル情報がチャンネルリストに含まれていない場合には（ステップＡ２２；Ｎｏ）、ステップＡ２３に移行し、新規チャンネルの追加を開始し（ステップＡ２３）、ステップＡ２４に移行する。リモコンＩＤ判定部２５２は、メモリ部１７に格納されたチャンネルリストを参照してチャンネル番号（リモコンＩＤ）を照合し（ステップＡ２４）、新規チャンネル情報のリモコンＩＤと同一のチャンネル番号（リモコンＩＤ）がチャンネルリストに含まれているか否かを判定する（ステップＡ２４）。
【００７５】
ステップＡ２４の段階で、新規チャンネル情報のリモコンＩＤと同一のチャンネル番号（リモコンＩＤ）がチャンネルリストに含まれていない場合（ステップＡ２４；Ｎｏ）、放送波処理部２５は、新規チャンネル情報のリモコンＩＤに基づいて新規チャンネル情報をチャンネルリストに追加し（ステップＳ２５）、チャンネルリストを更新する（ステップＡ２５）。ステップＡ２４の段階で、新規チャンネル情報のリモコンＩＤと同一のチャンネル番号（リモコンＩＤ）がチャンネルリストに含まれている場合（ステップＡ２４；Ｙｅｓ）、サービスＩＤ判定部２５３は、メモリ部１７に格納されたチャンネルリストを参照してサービスＩＤを照合し（ステップＡ２７）、新規チャンネル情報のサービスＩＤと同一のサービスＩＤがチャンネルリストに含まれているか否かを判定する（ステップＡ２８）。
【００７６】
ステップＡ２８の段階で、新規チャンネル情報のサービスＩＤと同一のサービスＩＤがチャンネルリストに含まれていない場合（ステップＡ２８；Ｎｏ）、放送波処理部２５は、新規チャンネル情報と、チャンネルリストに含まれており新規チャンネル情報のリモコンＩＤと重複するチャンネル情報との各々に対応する各放送エリアと、メモリ部１７に記録されている居住エリアに対応する放送エリアとを照合する（ステップＡ２９）。そして、放送波処理部２５は、新規チャンネル情報と、チャンネルリストに含まれており新規チャンネル情報のリモコンＩＤと重複するチャンネル情報のうち、居住エリアに対応する放送エリアと同一の（若しくは近傍にある）放送エリアに対応するチャンネル情報を選択し、その選択したチャンネル情報をチャンネルリストに記録し、他のチャンネル情報を、空いている未使用のリモコンＩＤ（チャンネル番号）に割り当てた後にチャンネルリストに記録する（ステップＡ３０）。この後、放送波処理部２５は、未処理の新規チャンネル情報の有無を判定し（ステップＡ３１）、未処理の新規チャンネル情報がある場合には（ステップＡ３１；Ｎｏ）、ステップＡ２４に移行して上述の処理を繰り返す。
【００７７】
ステップＡ２８の段階で、新規チャンネル情報のサービスＩＤと同一のサービスＩＤがチャンネルリストに含まれている場合（ステップＡ２８；Ｙｅｓ）、放送波処理部２５は、新規チャンネル情報を、空いている未使用のリモコンＩＤ（チャンネル番号）に割り当てた後にチャンネルリストに記録し（ステップＡ３２）、その後、ステップＡ３１に移行する。上述のようにして、新規チャンネルの追加処理が行われる。これにより、既に作成されたチャンネルリストに対し新規チャンネルの追加が可能となる。
【００７８】
更に、上述した移動機１（第１〜第４の変形例の移動機１を含む）の放送波処理部２５（記録手段に対応）が、放送エリア（更には、通信エリア、移動エリア及び居住エリア等の少なくとも一つ）を、着脱可能な記憶媒体１７ａに記録するようにしてもよいし、上述したネットワークサーバ５の制御部５ｃ（記録手段に対応）が、放送エリア（更には、通信エリア、移動エリア及び居住エリア等の少なくとも一つ）を、移動機ＩＤ情報と関連付けてメモリ部５ｂに記録するようにしてもよい。これにより、ユーザが、移動機１を交換した場合（買い替え等の新規交換の場合や、複数の移動機１を使い分ける場合を含む）であっても、過去に得られた放送エリア（更には、通信エリア、移動エリア及び居住エリア等）が、再利用できる。なお、移動機１の記録媒体１７ａやネットワークサーバ５のメモリ部５ｂには、チャンネルリストが記録されていてもよい。
【００７９】
更に、上述した移動機１（第１〜第４の変形例の移動機１を含む）が、ＦｅｌｉＣａ（登録商標）等のアプリケーションの利用が可能の場合、この種のアプリケーションを利用して、駅改札の通過時を通信エリアの登録タイミング（通信エリアの登録頻度の加算を行うタイミング）とすることも可能である。更に、移動機１が改札等を通過したことが検知されたタイミングや放送受信開始又は終了時のタイミング、更には、移動機１の電源をＯＮ／ＯＦＦするタイミング等、通信エリア情報の登録頻度が加算される複数種類の登録タイミングを設定可能とし、通信エリア情報の登録頻度の加算時には、このような複数種類の登録タイミング毎に設定した数（「１」だけではなく、「１」以外の他の数を含む）を通信エリア情報の登録頻度に加算してもよい。例えば、放送受信開始時の登録タイミングにおいて登録頻度に加算する数を「１０」とし、駅改札の通過時の登録タイミングにおいて登録頻度に加算する数を「３」等とすることができる。これにより、移動機１の利用状況に応じた登録頻度の加算が可能となる。
【００８０】
更に、ＧＰＳ測位方式を用いて位置エリア情報に対応する移動機１の位置情報を取得するようにしてもよい。上述した移動機１（第１〜第４の変形例の移動機１を含む）の利用可能なＧＰＳ測位方式は、ＧＰＳ方式及び複数基地局方式が利用可能である。ＧＰＳ方式は、ＧＰＳモジュールにおける測位結果により移動機１の位置情報を取得する方式であり、複数基地局方式は、ＧＰＳモジュールにおける測位結果と基地局における測位結果とを組み合わせて移動機１の位置情報を取得する方式である。また、セルベース方式と称するＧＰＳ測位方式も利用可能である。セルベース方式は、移動機１が接続している基地局３のセル情報（基地局情報）を用いて移動機１の位置情報を取得する方式である。移動機１は、基地局情報を緯度経度情報として基地局３から取得する。この場合、移動機１又はネットワークサーバ５は、上述のＧＰＳ測位方式を用いて取得される移動機１の位置情報と、放送エリア情報とが対応付けされたテーブル情報を予め移動機１のメモリ部１７やネットワークサーバ５のメモリ部５ｂに格納する。移動機１又はネットワークサーバ５は、このテーブル情報を参照することにより、ＧＰＳ測位方式を用いて取得された移動機１の位置情報から、対応する放送エリアが容易に特定可能となる。このようなＧＰＳ測位方式を用いることにより、高精度な位置測位が容易に行える。
【００８１】
次に、本実施形態に係る通信システム１００の作用・効果を説明する。基地局３を介して通信データを送受信できると共に複数の放送波を受信可能な移動機１であって、基地局３から受信した基地局３の通信エリア情報を登録し、登録した通信エリア情報の登録頻度を通信エリア情報ごとに計数し、計数した登録頻度に基づいて移動機１が放送波を受信する放送エリアを特定する居住エリア判定部２５５と、放送波の周波数を識別するための物理チャンネルと、放送波に多重化されている番組情報を識別するためのサービスＩＤと、サービスＩＤにより識別される番組情報を指定するための操作ボタンを示すリモコンＩＤとを含む放送情報を、放送波から取得するチャンネルスキャン部２５１と、チャンネルスキャン部２５１により取得された放送情報に基づいてチャンネルリストを作成する放送波処理部２５とを備え、放送波処理部２５は、同一のリモコンＩＤを有しているがサービスＩＤの異なる複数の放送情報が取得されると、この複数の放送情報の中に、居住エリア判定部２５５により特定された放送エリア内で受信される放送情報と同一の放送情報が含まれている場合には、この放送情報に基づいてチャンネルリストを作成する。放送エリアが重なっている地域では、複数の放送情報が利用可能である。しかし、これら複数の放送情報の中には、サービスＩＤは異なっているがリモコンＩＤの同じ複数の放送情報が複数含まれている場合がある。この点、移動機１によれば、サービスＩＤは異なっているがリモコンＩＤが同じ複数の放送情報が取得された場合には、予め特定された登録頻度に応じて放送エリアが特定され、この放送エリアに対応する放送情報に基づいてチャンネルリストが作成可能となる。従って、複数の放送エリアが重なっている地域においてもユーザ（移動機１）の移動状況に応じて好適なチャンネルリストを自動的に作成できる。
【００８２】
また、第２及び第４の変形例に係る通信システム１００は、基地局３を介して通信データを送受信できると共に複数の放送波を受信可能な移動機１と、放送エリア情報を基地局３を介して移動機１に送信するネットワークサーバ５とを備え、ネットワークサーバ５は、基地局３から基地局３の通信エリアを示す通信エリア情報を受信すると共に、放送エリア情報を基地局３を介して移動機１に送信する通信部５ａと、通信部５ａにより受信された通信エリア情報を登録し、登録した通信エリア情報の登録頻度を通信エリア情報ごとに計数し、計数した登録頻度に基づいて移動機１が放送波を受信する放送エリアを特定する制御部５ｃとを有し、移動機１は、ネットワークサーバ５から放送エリア情報を基地局３を介して受信する通信部１３ａと、放送波の周波数を識別するための物理チャンネルと、放送波に多重化されている番組情報を識別するためのサービスＩＤと、サービスＩＤにより識別される番組情報を指定するための操作ボタンを示すリモコンＩＤとを含む放送情報を、放送波から取得するチャンネルスキャン部２５１と、チャンネルスキャン部２５１により取得された放送情報に基づいてチャンネルリストを作成する放送波処理部２５とを有し、放送波処理部２５は、同一のリモコンＩＤを有しているがサービスＩＤの異なる複数の放送情報が取得されると、この複数の放送情報の中に、通信部１３ａにより受信された放送エリア情報の示す放送エリア内で受信される放送情報と同一の放送情報が含まれている場合には、この放送情報に基づいてチャンネルリストを作成する。放送エリアが重なっている地域では、複数の放送情報が利用可能である。しかし、これら複数の放送情報の中には、サービスＩＤは異なっているがリモコンＩＤの同じ複数の放送情報が複数含まれている場合がある。この点、第２及び第４の変形例に係る通信システム１００によれば、サービスＩＤは異なっているがリモコンＩＤが同じ複数の放送情報が取得された場合には、予め特定された登録頻度に応じて放送エリアが特定され、この放送エリアに対応する放送情報に基づいてチャンネルリストが作成可能となる。従って、複数の放送エリアが重なっている地域においてもユーザ（移動機１）の移動状況に応じて好適なチャンネルリストを自動的に作成できる。また、通信エリアの登録頻度の計数が、移動機１ではなくネットワークサーバ５において行われるため、移動機１の負担が軽減される。
【００８３】
また、第１及び第３の変形例に係る通信システム１００は、基地局３を介して通信データを送受信できると共に複数の放送波を受信可能な移動機１と、移動機１の移動エリアを示す移動エリア情報を基地局３を介して移動機１に送信するネットワークサーバ５とを備え、ネットワークサーバ５は、基地局３から基地局３の通信エリアを示す通信エリア情報を受信すると共に、制御部５ｃにより特定された移動機１の移動エリアを示す移動エリア情報を基地局３を介して移動機１に送信する通信部５ａと、通信部５ａにより受信された通信エリア情報を登録し、登録した通信エリア情報の登録頻度を通信エリア情報ごとに計数し、計数した登録頻度に基づいて移動機１の移動エリアを特定する制御部５ｃとを有し、移動機１は、ネットワークサーバ５から移動エリア情報を基地局３を介して受信する通信部１３ａと、通信部１３ａにより受信された移動エリア情報に対応する放送エリアを特定する居住エリア判定部２５５と、放送波の周波数を識別するための物理チャンネルと、放送波に多重化されている番組情報を識別するためのサービスＩＤと、サービスＩＤにより識別される番組情報を指定するための操作ボタンを示すリモコンＩＤとを含む放送情報を、放送波から取得するチャンネルスキャン部２５１と、チャンネルスキャン部２５１により取得された放送情報に基づいてチャンネルリストを作成する放送波処理部２５とを有し、放送波処理部２５は、同一のリモコンＩＤを有しているがサービスＩＤの異なる複数の放送情報が取得されると、この複数の放送情報の中に、居住エリア判定部２５５により特定された放送エリア内で受信される放送情報と同一の放送情報が含まれている場合には、この放送情報に基づいてチャンネルリストを作成する。放送エリアが重なっている地域では、複数の放送情報が利用可能である。しかし、これら複数の放送情報の中には、サービスＩＤは異なっているがリモコンＩＤの同じ複数の放送情報が複数含まれている場合がある。この点、第１及び第３の変形例に係る通信システム１００によれば、サービスＩＤは異なっているがリモコンＩＤが同じ複数の放送情報が取得された場合には、予め特定された登録頻度に応じて放送エリアが特定され、この放送エリアに対応する放送情報に基づいてチャンネルリストが作成可能となる。従って、複数の放送エリアが重なっている地域においてもユーザ（移動機１）の移動状況に応じて好適なチャンネルリストを自動的に作成できる。
【００８４】
更に、通信システム１００（第１〜第４の変形例を含む）では、居住エリア判定部２５５又は制御部５ｃ（第１〜第４の変形例）は、登録時からの経過時間に応じて重くなる重み付けをして登録頻度を計数する。このように、登録頻度が、最初の登録時（例えば最初の登録時）からの経過時間に応じて重くなる重み付けをして計数されるため、ある通信エリアに通信端末が存在している期間（過去どの程度の間存在しているか）が、登録頻度に適正に反映されることとなる。
【００８５】
更に、移動機１（第１〜第４の変形例の移動機１を含む）では、放送波処理部２５は、チャンネルスキャン部２５１により取得された新たな放送情報が取得された場合、既に作成したチャンネルリストをこの新たな放送情報に基づいて更新してもよい。これにより、既に作成されたチャンネルリストに対し新規チャンネルの追加が可能となる。
【００８６】
更に、移動機１（第１〜第４の変形例の移動機１を含む）は、着脱可能な記録媒体１７ａを更に備え、放送波処理部２５は、放送エリアを示す放送エリア情報を記録媒体１７ａに記録し、記録媒体１７ａに記録された放送エリア情報を用いてチャンネルリストを作成してもよい。これにより、ユーザが、移動機１を交換した場合（買い替え等の新規交換の場合や、複数の移動機１を使い分ける場合を含む）であっても、過去に得られた放送エリア情報が再利用できる。
【００８７】
更に、移動機１（第１〜第４の変形例の移動機１を含む）では、居住エリア判定部２５５は、登録頻度を計数する場合、通信エリア情報が登録される登録タイミングの種類に応じて予め定められた数を、登録頻度に加算してもよい。これにより、移動機１の利用状況に応じた登録頻度の加算が可能となる。
【図面の簡単な説明】
【００８８】
【図１】実施形態に係る通信システムの構成を説明するための図である。
【図２】実施形態に係る移動機の構成を説明するための図である。
【図３】実施形態に係るチャンネル情報の内容を説明するための図である。
【図４】実施形態に係る対応テーブル情報の内容を説明するための図である。
【図５】実施形態に係る基地局及びネットワークサーバの各構成を説明するための図である。
【図６】実施形態に係るリスト作成処理を説明するためのフローチャートである。
【図７】実施形態に係る居住エリア判定処理を説明するためのシーケンスである。
【図８】実施形態に係る居住エリア判定処理の第１の変形例を説明するためのシーケンスである。
【図９】実施形態に係る他の居住エリア判定処理の第２の変形例を説明するためのシーケンスである。
【図１０】実施形態に係る他の居住エリア判定処理の第３の変形例を説明するためのシーケンスである。
【図１１】実施形態に係る他の居住エリア判定処理の第４の変形例を説明するためのシーケンスである。
【図１２】実施形態に係るチャンネル追加処理を説明するためのフローチャートである。
【符号の説明】
【００８９】
Ｅ１…通信エリア、Ｅ２…公衆通信網、１…移動機、３…基地局、３ａ…通信部、３ｂ…メモリ部、３ｃ…制御部、５…ネットワークサーバ、５ａ…通信部、５ｂ…メモリ部、５ｃ…制御部、１１ａ…通信用アンテナ、１１ｂ…放送波受信用アンテナ、１３ａ…通信部、１３ｂ…放送波受信部、１５…電話部、１７…メモリ部、１７ａ…記録媒体、１９…操作部、２１…表示部、２３…制御部、２５…放送波処理部、１００…通信システム、２５１…チャンネルスキャン部、２５２…リモコンＩＤ判定部、２５３…サービスＩＤ判定部、２５４…受信レベル判定部、２５５…居住エリア判定部。
【図１】
2008067319.tif 000003
【図２】
2008067319.tif 000004
【図３】
2008067319.tif 000005
【図４】
2008067319.tif 000006
【図５】
2008067319.tif 000007
【図６】
2008067319.tif 000008
【図７】
2008067319.tif 000009
【図８】
2008067319.tif 000010
【図９】
2008067319.tif 000011
【図１０】
2008067319.tif 000012
【図１１】
2008067319.tif 000013
【図１２】
2008067319.tif 000014